(57)【要約】【課題】特定用途向け消耗品の一般用途での使用を抑制または防止すること。【解決手段】トナーカートリッジ１０ａは、内部に消耗品としてのトナーを格納する消耗品本体である容器１１ａ、記憶素子２０ａを備えている。記憶素子２０ａは容器１１ａの外壁に備えられており、契約ＩＤ、消耗品残量、消耗品固体ＩＤ、型番、消耗品の使用有効期限といった種々の情報が格納されている。記憶素子２０ａには、一般用途向けプリンタにおいて用いられる通常残量情報格納領域と、特定用途向けプリンタにおいて用いられる特定残量情報格納領域が備えられる。特定残量情報格納領域は、特定用途向けプリンタによってのみ読み出しが可能な領域である。【選択図】図１
2008164892.tif 000002
【特許請求の範囲】
【請求項１】
印刷装置用の消耗品であって、
前記消耗品が特定用途向けであるか否かを示す識別情報を少なくとも格納する第１の記憶領域と、特定用途向けの印刷装置によって参照される前記消耗品の消耗量に関する情報を少なくとも格納する第２の記憶領域とを備える記憶装置を備える消耗品。
【請求項２】
請求項１に記載の消耗品において、
前記消耗品が特定用途向け消耗品である場合には、前記第１の記憶領域にはさらに、前記消耗品の消耗量に関する情報として前記消耗品の残量が０であることを示す情報が格納されている消耗品。
【請求項３】
印刷装置用の消耗品であって、
少なくとも、前記消耗品が特定用途向けであるか否かを示す識別情報と、無意味化された前記消耗品の消耗量に関する情報とを格納する記憶装置を備える消耗品。
【請求項４】
請求項３に記載の消耗品において、
前記消耗品の消耗量に関する情報の無意味化は、前記消耗品の残量を０とする処理により実行される消耗品。
【請求項５】
請求項３または４に記載の消耗品において、
前記記憶装置は初回記録後、１度だけ書き換え可能な記憶装置である消耗品。
【請求項６】
請求項３に記載の消耗品において、
前記消耗品の消耗量に関する情報の無意味化は、前記消耗品の消耗量に関する情報の読み出しを阻害する処理により実行される消耗品。
【請求項７】
印刷装置用の消耗品の製造方法であって、
記憶装置を装着した消耗品を準備し、
前記記憶装置に、少なくとも、前記消耗品の消耗量に関する情報、前記消耗品が特定用途向けであるか否かを示す識別情報を記録し、
前記消耗品を包装容器にて包装し、
前記消耗品が特定用途向けである場合には、前記包装容器の外部から、前記記憶装置に格納されている消耗品の消耗量に関する情報を無意味化する消耗品の製造方法。
【請求項８】
印刷装置用の消耗品の製造方法であって、
記憶装置を装着した消耗品を準備し、
前記消耗品に対して、少なくとも前記消耗品が特定用途向けであるか否かを示す識別情報と、一般用途向け印刷装置によって参照される前記消耗品の消耗量に関する情報を格納する第１の記憶領域と、少なくとも前記消耗品が特定用途向けである場合に参照される前記消耗品の消耗量に関する情報を格納する第２の記憶領域とを備える記憶装置を装着し、
前記消耗品が特定用途向けである場合には、前記第１の記憶領域における一般用途向け印刷装置によって参照される前記消耗品の消耗量に関する情報を無意味化する消耗品の製造方法。
【請求項９】
請求項７または８に記載の消耗品の製造方法において、
前記消耗品の消耗量に関する情報の無意味化は、前記消耗品の残量を０とする処理により実行される消耗品の製造方法。
【請求項１０】
請求項７または８に記載の消耗品の製造方法において、
前記消耗品の消耗量に関する情報の無意味化は、前記消耗品の消耗量に関する情報の読み出しを阻害する処理により実行される消耗品の製造方法。
【発明の詳細な説明】
【技術分野】
【０００１】
本発明は、消耗品としての印刷記録材を収容する印刷記録材収容体およびその製造方法に関する。
【背景技術】
【０００２】
従来、印刷装置に備えられている種々の消耗品は、交換時期が訪れるとユーザやサービスマンによって適宜交換されていた。ここで、印刷装置において用いられる消耗品としては、例えば、トナーカートリッジ、インクカートリッジ、感光体カートリッジ、定着ユニット、転写ユニット、中間転写ユニットが知られている。従来の態様では、消耗品が消耗された時点で直ちに交換するためには消耗品を買い置きする必要があり、消耗品が消耗された時点でユーザが消耗品の購入またはサービスマンに依頼する場合には印刷装置を継続的に利用できないおそれがある。
【０００３】
この問題に対して、近年、印刷装置に対する保守契約の一形態として、消耗品コストを含む保守契約が提供されつつある。かかる保守契約を実現するために、印刷装置における消耗品情報をサーバコンピュータによって管理する技術が知られている（例えば、特許文献１）。
【０００４】
【特許文献１】特開２００５−１７３５００号公報
【発明の開示】
【発明が解決しようとする課題】
【０００５】
しかしながら、従来の技術では、契約対象となる印刷装置、すなわち特定用途向け印刷装置に対して、適切な消耗品が装着されているか否かを判断することはできても、契約対象外の印刷装置、すなわち一般用途向け印刷装置における、特定用途向け消耗品の利用を抑制または防止することはできなかった。
【０００６】
本発明は、上記課題を解決するためになされたものであり、特定用途向け消耗品の一般用途での使用を抑制または防止することを目的とする。
【課題を解決するための手段】
【０００７】
上記課題の少なくとも一部を解決するために、本発明の第１の態様は、印刷装置用の消耗品を提供する。本発明の第１の態様に係る消耗品は、前記消耗品が特定用途向けであるか否かを示す識別情報を少なくとも格納する第１の記憶領域と、特定用途向けの印刷装置によって参照される前記消耗品の消耗量に関する情報を少なくとも格納する第２の記憶領域とを備える記憶装置とを備える。
【０００８】
本発明の第１の態様に係る印刷装置用の消耗品によれば、消耗品が特定用途向けであるか否かを示す識別情報を少なくとも格納する第１の記憶領域と、特定用途向けの印刷装置によって参照される消耗品の消耗量に関する情報を少なくとも格納する第２の記憶領域とを備える記憶装置を備えるので、特定用途向け消耗品の一般用途での使用を抑制または防止することができる。
【０００９】
本発明の第１の態様に係る消耗品において、前記消耗品が特定用途向け消耗品である場合には、前記第１の記憶領域にはさらに、前記消耗品の消耗量に関する情報として前記消耗品の残量が０であることを示す情報が格納されていても良い。この場合には、一般用途向けの印刷装置は、消耗品の消耗量に関する情報として残量０の情報しか得られず、印刷処理の実行が制限される。
【００１０】
本発明の第２の態様は、印刷装置用の消耗品を提供する。本発明の第２の態様に係る消耗品は、少なくとも、前記消耗品が特定用途向けであるか否かを示す識別情報と、無意味化された前記消耗品の消耗量に関する情報とを格納する記憶装置とを備える。
【００１１】
本発明の第２の態様に係る印刷装置用の消耗品によれば、消耗品本体に装着される記憶装置であって、少なくとも、消耗品が特定用途向けであるか否かを示す識別情報と、無意味化された消耗品の消耗量に関する情報とを格納する記憶装置を備えるので、特定用途向け消耗品の一般用途での使用を抑制または防止することができる。
【００１２】
本発明の第２の態様に係る消耗品において、前記消耗品の消耗量に関する情報の無意味化は、前記消耗品の残量を０とする処理により実行されても良い。この場合には、一般用途向けの印刷装置は、消耗品の消耗量に関する情報として残量０の情報しか得られず、印刷処理の実行が制限される。さらに、本発明の第２の態様に係る消耗品において、前記記憶装置は初回記録後、１度だけ書き換え可能な記憶装置であっても良い。この場合には、出荷後における記憶装置の記憶内容の改変を抑制または防止することができる。
【００１３】
本発明の第２の態様に係る消耗品において、前記消耗品の消耗量に関する情報の無意味化は、前記消耗品の消耗量に関する情報の読み出しを阻害する処理により実行されても良い。この場合には、消耗品の消耗量に関する情報を利用できなくすることによって、消耗品の消耗量に関する情報を事実上、無意味化することができる。
【００１４】
本発明の第３の態様は、印刷装置用の消耗品の製造方法を提供する。本発明の第３の態様に係る消耗品の製造方法は、記憶装置を装着した消耗品を準備し、前記記憶装置に、少なくとも、前記消耗品の消耗量に関する情報、前記消耗品が特定用途向けであるか否かを示す識別情報を記録し、前記消耗品を包装容器にて包装し、前記消耗品が特定用途向けである場合には、前記包装容器の外部から、前記記憶装置に格納されている消耗品の消耗量に関する情報を無意味化することを備える。
【００１５】
本発明の第３の態様に係る印刷装置用の消耗品の製造方法によれば、消耗品が特定用途向けである場合には、包装容器の外部から、記憶装置に格納されている消耗品の消耗量に関する情報を無意味化するので、特定用途向け消耗品の一般用途での使用を抑制または防止することができる。
【００１６】
本発明の第４の態様は、印刷装置用の消耗品の製造方法を提供する。本発明の第４の態様に係る消耗品の製造方法は、記憶装置を装着した消耗品を準備し、前記消耗品に対して、少なくとも前記消耗品が特定用途向けであるか否かを示す識別情報と、一般用途向け印刷装置によって参照される前記消耗品の消耗量に関する情報を格納する第１の記憶領域と、少なくとも前記消耗品が特定用途向けである場合に参照される前記消耗品の消耗量に関する情報を格納する第２の記憶領域とを備える記憶装置を装着し、前記消耗品が特定用途向けである場合には、前記第１の記憶領域における一般用途向け印刷装置によって参照される前記消耗品の消耗量に関する情報を無意味化し、前記消耗品を包装容器にて包装することを備える。
【００１７】
本発明の第４の態様に係る印刷装置用の消耗品の製造方法によれば、消耗品が特定用途向けである場合には、第１の記憶領域における一般用途向け印刷装置によって参照される消耗品の消耗量に関する情報を無意味化するので、特定用途向け消耗品の一般用途での使用を抑制または防止することができる。
【００１８】
本発明の第３または第４の態様に係る消耗品の製造方法において、前記消耗品の消耗量に関する情報の無意味化は、前記消耗品の残量を０とする処理により実行されても良い。この場合には、一般用途向けの印刷装置は、消耗品の消耗量に関する情報として残量０の情報しか得られず、印刷処理の実行が制限される。あるいは、前記消耗品の消耗量に関する情報の無意味化は、前記消耗品の消耗量に関する情報の読み出しを阻害する処理により実行されても良い。この場合には、消耗品の消耗量に関する情報を利用できなくすることによって、消耗品の消耗量に関する情報を事実上、無意味化することができる。
【００１９】
本発明の第４の態様に係る制御方法によれば、本発明の第２の態様に係る印刷制御装置と同様の利点を得ることができる。本発明の第４の態様に係る制御方法は、本発明の第２の態様に係る印刷制御装置と同様にして種々の態様にて実現され得る。
【発明を実施するための最良の形態】
【００２０】
以下、本発明に係る印刷装置用の消耗品および印刷装置用の消耗品の製造方法について、図面を参照しつつ、実施例に基づいて説明する。
【００２１】
・第１の実施例：
・印刷装置用消耗品の概略構成
以下、本実施例では、印刷装置用消耗品として、トナーを用いた帯電方式プリンタ、例えば、レーザプリンタに用いられる、トナーを格納するトナーカートリッジを例にとって説明する。なお、印刷装置用消耗品には、この他にも、インクを格納するインクカートリッジ、トナー像の形成に用いられる感光体カートリッジ、トナー像を印刷媒体上に定着させるための定着ユニット、感光体上のトナー像を印刷媒体上に転写するための転写ユニット、カラートナー像を重ね合わさるための中間転写ユニットが含まれる。いずれも、プリンタの使用に伴って順次、消耗される部材である点において共通する。
【００２２】
図１および図２を参照して本実施例に係るトナーカートリッジの概略構成について説明する。図１は第１の実施例に係るトナーカートリッジの概略構成を模式的に示す説明図である。図２は第１の実施例に係るトナーカートリッジに備えられている記憶素子の記憶領域を概念的に示す説明図である。
【００２３】
本実施例に係るトナーカートリッジ１０ａ、すなわち消耗品は、内部に消耗品としてのトナーを格納する消耗品本体である容器１１ａ、記憶素子２０ａを備えている。容器１１ａは例えば、樹脂製、金属製の収容体であり、内部は用途に応じて種々の構成を備えている。記憶素子２０ａは容器１１ａの外壁に備えられており、後述する各種の情報を格納している。なお、消耗品として感光体カートリッジ等が用いられる場合には、例えば、消耗品の外壁に記憶素子２０ａが装着される。記憶素子２０ａには、プリンタ側の複数の端子と接触する複数の端子２１が備えられている。端子２１にはデータを入出力するための端子、電源端子、トナーカートリッジ１０ａの装着の有無を検出するための端子（例えば、接地端子）、クロック信号を入力するための端子が含まれる。
【００２４】
記憶素子２０ａには、契約ＩＤ、消耗品残量、消耗品固体ＩＤ、型番、消耗品の使用有効期限が格納されている。契約ＩＤは、トナーカートリッジ１０ａが、消耗品の供給、交換を含む保守契約の対象となる特定用途向けプリンタに対して用いられる特定用向け消耗品であるか否かを示す情報である。本実施例では、契約ＩＤにＸ１と記録されている場合には、特定用途向け消耗品であることを示し、Ｘ２と記録されている場合には、特定用途向けでない、一般用途向け消耗品であることを示す。契約ＩＤが格納されている領域は特定用途向けプリンタのみが読み取るアドレスであり、一般用途向けプリンタは契約ＩＤのアドレスにアクセスせず、契約ＩＤを取得することはできない。
【００２５】
消耗品残量の格納領域には、トナーの残量の情報が百分率または重量にて記録されている。なお、消耗品残量に代えて、消耗品消耗量が記録されていても良い。また、感光体カートリッジ、定着ユニット、転写ユニットの消耗量は、例えば、回転体の回転数または印刷枚数と、消耗量とを予め対応付けておくことによって、印刷実行時における回転体の回転数、印刷枚数をカウントすることによって管理することができる。この場合、消耗品残量の記憶領域には、回転体の回転数または印刷枚数が記憶される。
【００２６】
なお、本実施例における記憶素子２０ａには、一般用途向けプリンタにおいて用いられる通常残量情報格納領域Ａ１と、特定用途向けプリンタにおいて用いられる特定残量情報格納領域Ａ２が備えられる。特定残量情報格納領域Ａ２は、特定用途向けプリンタによってのみ読み出しが可能な領域である。すなわち、特定用途向けプリンタは、契約ＩＤがＸ１の場合には、特定残量情報格納領域Ａ２から消耗品残量を読み出し、契約ＩＤがＸ２の場合には、通常残量情報格納領域Ａ１から消耗品残量を読み出す。一般用途向けプリンタは、契約ＩＤを取得できないので、通常残量情報格納領域Ａ１から消耗品残量を読み出す。
【００２７】
消耗品固体ＩＤは各トナーカートリッジ１０ａに固有に割り当てられている識別情報である。型番はトナーカートリッジ１０ａの型式を示す情報である。使用有効期限はトナーの使用期限を示す情報である。
【００２８】
本実施例に係るトナーカートリッジ１０ａの製造にあたっては、容器１１ａを用意し、用意した容器１１ａにトナーを充填し、特定用途向け情報を格納した（契約ＩＤ＝Ｘ１）記憶素子２０ａまたは一般用途向け情報を格納した（契約ＩＤ＝Ｘ２）記憶素子２０ａを契約の有無に応じて容器１１ａに対して装着する。
【００２９】
トナーカートリッジ１０ａが特定用途向け消耗品として出荷される場合には、通常残量情報格納領域Ａ１を無意味化した後に出荷しても良い。無意味化には、残量を０に変更する処理、あるいは、契約ＩＤの格納領域および特定残量情報格納領域Ａ２を除いて、記憶素子２０ａにおける全ての情報を消去してしまっても良い。記憶素子２０ａの通常残量情報格納領域Ａ１における残量を０とする処理は、端子２１を介して行われても良く、あるいは、記憶素子２０ａに無線通信機能を備えておき、非接触方式にて行われても良い。あるいは、記憶素子２０ａに契約ＩＤの格納領域および特定残量情報格納領域Ａ２を除く格納領域を消去する消去回路を加えておき、外部から消去回路を作動させても良い。
【００３０】
以上説明した第１の実施例に係るトナーカートリッジ１０ａによれば、特定用途向けプリンタが読み出し可能な特定残量情報格納領域Ａ２と、一般用途向けプリンタが読み出し可能な通常残量情報格納領域Ａ１との２つの残量情報格納領域を備えている記憶素子２０ａが用いられる。また、トナーカートリッジ１０ａが特定用途向け消耗品として出荷される場合には、少なくとも通常残量情報格納領域Ａ１の情報が無意味化される。
【００３１】
したがって、一般用途向けプリンタは、トナー残量に基づく印刷処理を実行することができなくなり、一般用途向けプリンタにおける（契約違反となる）特定用途向け消耗品の使用を抑制または防止することができる。より具体的には、通常、プリンタは、トナー残量が０の場合には、印刷処理を実行することができないので、トナー残量＝０またはトナー残量を取得できない場合には、一般用途向けプリンタにおける印刷処理が阻止され得る。
【００３２】
・第１の実施例の変形例：
第１の実施例では、記憶素子２０ａの１のメモリアレイ内に、特定残量情報格納領域Ａ２と通常残量情報格納領域Ａ１とを備えているが、記憶素子２０ａ内に２つのメモリアレイを備え、あるいは、２つの記憶素子を備えて、各メモリアレイまたは記憶素子を特定用途向けまたは一般用途向けに専用化しても良い。
【００３３】
この場合には、契約ＩＤを読み出すことができない一般用途向けプリンタは、必ず一般用途向けのメモリアレイまたは記憶素子を読み出すようにしておき、特定用途向けプリンタ１０は、契約ＩＤがＸ１の場合には、特定用途向けのメモリアレイまたは記憶素子から消耗品残量を読み出し、契約ＩＤがＸ２の場合には、通常用途向けのメモリアレイまたは記憶素子から消耗品残量を読み出せば良い。さらに、トナーカートリッジ１０ａが特定用途向け消耗品として出荷される場合には、一般用途向けのメモリアレイまたは記憶素子を外部から物理的に破壊、あるいは、外部からの信号によって回路を電気的に遮断しても良い。
【００３４】
・第２の実施例：
図３〜図７を参照して第２の実施例に係るトナーカートリッジの概略構成および内部構成について説明する。図３は第２の実施例に係るトナーカートリッジの概略構成を模式的に示す説明図である。図４は第２の実施例に係るトナーカートリッジに備えられている記憶素子の記憶領域を概念的に示す説明図である。図５は第２の実施例に係るトナーカートリッジに備えられている記憶素子の内部機能ブロックを概念的に示す説明図である。図６は第２の実施例に係るトナーカートリッジの記憶素子を読み出し専用にするための論理回路例を示す説明図である。図７は図６の回路における各信号の組合せから得られる改コマンドを示す説明図である。
【００３５】
本実施例に係るトナーカートリッジ１０ｂ、すなわち消耗品は、内部に消耗品としてのトナーを格納する消耗品本体である容器１１ｂ、記憶素子２０ｂを備えている。容器１１ａは例えば、樹脂製、金属製の収容体であり、内部は用途に応じて種々の構成を備えている。記憶素子２０ｂは容器１１ｂの外壁に備えられており、後述する各種の情報を格納している。記憶素子１０ｂには、第１の実施例において説明した既述の複数の端子が備えられている。
【００３６】
図４に示すように、記憶素子２０ｂには、契約ＩＤ、消耗品残量、消耗品固体ＩＤ、型番、消耗品の使用有効期限が格納されている。契約ＩＤは、トナーカートリッジ１０ｂが、消耗品の供給、交換を含む保守契約の対象となる特定用途向けプリンタに対して用いられる特定用向け消耗品であるか否かを示す情報である。本実施例では、契約ＩＤにＸ１と記録されている場合には、特定用途向け消耗品であることを示し、Ｘ２と記録されている場合には、特定用途向けでない、一般用途向け消耗品であることを示す。契約ＩＤが格納されている領域は特定用途向けプリンタのみが読み取るアドレスであり、一般用途向けプリンタは契約ＩＤのアドレスにアクセスせず、契約ＩＤを取得することはできない。
【００３７】
消耗品残量の格納領域には、トナーの残量の情報が百分率または重量にて記録されている。なお、消耗品残量に代えて、消耗品消耗量が記録されていても良い。また、感光体カートリッジ、定着ユニット、転写ユニットの消耗量は、例えば、回転体の回転数または印刷枚数と、消耗量とを予め対応付けておくことによって、印刷実行時における回転体の回転数、印刷枚数をカウントすることによって管理することができる。この場合、消耗品残量の記憶領域には、回転体の回転数または印刷枚数が記憶される。
【００３８】
消耗品固体ＩＤ、型番および使用有効期限は第１の実施例において説明したとおりの情報である。
【００３９】
記憶素子２０ｂは、内部に少なくともメモリアレイ２０１ｂとメモリコントローラ２０２ｂを備えている。メモリアレイ２０１ｂはビット情報を格納する所定数の格納セルを有する半導体メモリである。
【００４０】
メモリコントローラ２０２ｂは、外部装置、例えば、プリンタから送信されるデータ列に含まれるリード／ライトコマンドに応じて、メモリアレイ２０１ｂに対するアクセス、すなわち、データの書き込み、読み出しを制御する。メモリコントローラ２０２ｂは、例えば、アドレス信号ＡＤＲ（またはクロック信号）を入力するための端子、データ列を入力するための端子、データ列から抽出した書き込み／読み出しコマンドを入力するための端子を含む端子２１と接続されている。
【００４１】
メモリコントローラ２０２ｂとメモリアレイ２０１ｂは読み出しコマンド（Ｒコマンド）を送信するための読み出し制御信号線ＲＣＬ、書き込みコマンド（Ｗコマンド）を送信するための書き込み制御信号線ＷＣＬ、アドレス信号を送信するためのアドレス信号線ＡＤＬ、およびデータ信号を送信するためのデータ信号線ＤＬで接続されている。メモリコントローラ２０２ｂは、ＲコマンドおよびＷコマンドがそれぞれ「０」になった時に、アドレス信号ＡＤＲが示すメモリアレイ２０１ｂ内部のメモリセルに対してデータの読み出し、書き込みを実行する。
【００４２】
・メモリアレイ２０１ｂに対する書き込み処理を制限（禁止）するための構成
メモリアレイ２０１ｂに対する書き込み処理を制限（禁止）するための構成について図６〜７を参照して説明する。
【００４３】
図６に示す回路は例えば、メモリコントローラ２０２ｂの後段に備えられており、外部から切断状態へ不可逆的に変更可能なスイッチ２５を備えている。図６に示す回路は、入力されたＷコマンドと制御信号Ｃとを比較して改Ｗコマンドを出力するための論理回路Ｌ１０、メモリアレイ２０１ｂに記録されている契約ＩＤとスイッチ２５のオン・オフの組合せによって制御信号Ｃを出力するための論理回路Ｌ１２を備えている。この結果、メモリアレイ２０１ｂに対しては、メモリコントローラ２０２ｂから出力されるＷコマンドに代えて、論理回路Ｌ１０によって制御される改Ｗコマンドが入力される。
【００４４】
スイッチ２５が接続状態にあり、契約ＩＤの値が１の場合（特定用途向けであることを示す場合）には、論理回路Ｌ１２から出力される制御信号Ｃは０を取る。また、スイッチ２５が接続状態にあり、契約ＩＤの値が０の場合（一般用途向けであることを示す場合）には、論理回路Ｌ１２から出力される制御信号Ｃは０を取る。
【００４５】
一方、スイッチ２５が切断状態にあり、契約ＩＤの値が１の場合（特定用途向けであることを示す場合）には、論理回路Ｌ１２から出力される制御信号Ｃは１を取る。また、スイッチ２５が切断状態にあり、契約ＩＤの値が０の場合（一般用途向けであることを示す場合）には、論理回路Ｌ１２から出力される制御信号Ｃは０を取る。
【００４６】
図６および図７の例では、Ｗコマンドが論理回路Ｌ１０に入力されている。したがって、制御信号Ｃが０である限り、論理回路Ｌ１０に入力されたＷコマンド、すなわち、書き込み制御信号はそのまま改Ｗコマンドとしてメモリアレイ２０１ｂに出力される。一方、制御信号Ｃが１の場合には、論理回路Ｌ１０に入力されたＷコマンド、すなわち、書き込み制御信号は、「１」に固定されて出力され、メモリアレイ２０１ｂにおいて書き込みは実行されない。図７には以上の説明をまとめた、各信号の値の組合せが記載されている。
【００４７】
したがって、トナーカートリッジ１０ｂが特定用途向け消耗品である場合には、出荷時に、例えば、トナーカートリッジ１０ｂの包装体の外部からスイッチ２５をオフすることによって、出荷時以降、トナーカートリッジ１０ｂに備えられている記憶素子２０ｂに対する書き込みを不可能にすることができる。この手法では、特定用途向け消耗品については、トナーカートリッジ１０ｂの契約ＩＤをＸ１とし、消耗品残量情報＝０としておくことで、特定用途向け消耗品における消耗品残量情報の事後的な書き換えを抑制または防止することができる。
【００４８】
・トナーカートリッジ１０ｂの製造方法：
図８を参照して第２の実施例に係るトナーカートリッジ１０ｂの製造方法について説明する。図８は第２の実施例に係るトナーカートリッジ１０ｂの製造ステップを示すフローチャートである。空の容器１１ｂを用意し（ステップＳ１００）、容器内部にトナーを充填し（ステップＳ１０２）、容器１１ｂを密封する。密封された容器１１ｂの外壁の所定位置に記憶素子２０ｂを装着し（ステップＳ１０４）、トナーカートリッジ１０ｂを包装袋、例えば、プラスチック製、紙製にて包装する（ステップＳ１０６）。この工程で用いられる記憶素子２０ｂは、予め、契約ＩＤ＝Ｘ１、消耗品残量情報＝０残量とされている記憶素子である。
【００４９】
既述のスイッチ２５を包装袋の上から切断状態に切り替えて消耗量の無意味化処理を実行し（ステップＳ１０８）、外箱に詰めて出荷する（ステップＳ１１０）。なお、トナーの充填は、容器１１ｂに記憶素子２０ｂが既に装着されている状態で行われても良いことは言うまでもなく、また、消耗品として感光体カートリッジ等が用いられる場合には、トナーの充填を行うことなく、感光体カートリッジの外壁に記憶素子が装着される。
【００５０】
以上説明した第２の実施例に係るトナーカートリッジ１０ｂによれば、出荷後は、記憶素子２０ｂに対する書き込みが許されない記憶素子構成を備えているので、特定用途向け消耗品の消耗品残量情報の事後的な書き換えにより、一般用途向けプリンタにおいて用いられる使用態様を抑制または防止することができる。
【００５１】
・第２の実施例の変形例：
図９〜図１１を参照して第２の実施例の変形例について説明する。本変形例では、特定用途向けトナーカートリッジ１０ｂのモリアレイ２０１ｂに対する書き込み処理を制限（禁止）する変わりに、消耗品残量情報の読み出しが制限（禁止される）。図９は第２の実施例の変形例に係るトナーカートリッジの記憶素子における特定アドレスを読み出し専用にするための論理回路例を示す説明図である。図１０は図９の回路における各信号の組合せから得られる改コマンドを示す説明図である。図１１は図９中のアドレスデコーダによって出力される信号例を示す説明図である。
【００５２】
・消耗品残量情報の読み出し処理を制限（禁止）するための構成：
【００５３】
図９に示す回路も、図６に示す回路と同様に、メモリコントローラ２０２ｂの後段に備えられており、外部から切断状態へ不可逆的に変更可能なスイッチ２５、論理回路Ｌ１０、論理回路Ｌ１２を備えている。したがって、メモリアレイ２０１ｂに対しては、メモリコントローラ２０２ｂから出力されるＲコマンドに代えて、論理回路Ｌ１０によって制御される改Ｒコマンドが入力される。
【００５４】
図９に示す回路は、図６に示す回路と比較して、アドレスデコーダＬ１６を備えている点、論理回路Ｌ１２にはアドレスデコーダＬ１６によってデコードされたアドレスデコード信号Ｄが入力される点において、図６に示す回路と異なる。アドレスデコーダＬ１６は、図１１に示すとおり、所定のアドレス、例えば（１０〜１７）が入力された場合には、アドレスデコード信号Ｄとして「１」を出力し、所定のアドレス以外のアドレス、例えば（００〜０Ｆ、１８〜７Ｆ）が入力された場合には、アドレスデコード信号Ｄとして「０」を出力する。
【００５５】
スイッチ２５が接続状態にあり、入力アドレスの値が所定アドレスの場合には、アドレスデコード信号Ｄ＝０であり、論理回路Ｌ１２から出力される制御信号Ｃは０を取る。また、スイッチ２５が接続状態にあり、入力アドレスの値が所定アドレス以外のアドレスの場合には、アドレスデコード信号Ｄ＝０であり、論理回路Ｌ１２から出力される制御信号Ｃは０を取る。
【００５６】
一方、スイッチ２５が切断状態にあり、入力アドレスの値が所定アドレスの場合には、アドレスデコード信号Ｄ＝１であり、論理回路Ｌ１２から出力される制御信号Ｃは１を取る。また、スイッチ２５が切断状態にあり、入力アドレスの値が所定アドレス以外のアドレスの場合には、アドレスデコード信号Ｄ＝０であり、論理回路Ｌ１２から出力される制御信号Ｃは０を取る。
【００５７】
図９および図１０の例では、Ｒコマンドが論理回路Ｌ１０に入力されている。したがって、制御信号Ｃが０である限り、論理回路Ｌ１０に入力されたＲコマンド、すなわち、読み出し制御信号はそのまま改Ｒコマンドとして出力される。一方、制御信号Ｃが１の場合には、論理回路Ｌ１０に入力されたＲコマンド、すなわち、読み出し制御信号は、１に固定されて出力され、メモリアレイ２０１ｂにおいて読み出しは実行されない。図１０には以上の説明をまとめた、各信号の値の組合せが記載されている。
【００５８】
したがって、トナーカートリッジ１０ｂが特定用途向け消耗品である場合には、出荷時に、例えば、トナーカートリッジ１０ｂの包装体の外部からスイッチ２５をオフすることによって、出荷時以降、トナーカートリッジ１０ｂに備えられている記憶素子２０ｂの消耗品残量情報の読み出しを不可能にすることができる。この手法では、特定用途向け消耗品であるか一般用途向け消耗品であるかによらず、トナーカートリッジ１０ｂの契約ＩＤをＸ１とし、出荷時に、一般用途向けプリンタが読み出す消耗品残量情報を無効化する（読み出し不可とする）ことができる。したがって、出荷時におけるスイッチ２５の操作によって、１のトナーカートリッジ１０ｂを特定用途向け消耗品または一般用途向け消耗品の双方に用いることができる。
【００５９】
・トナーカートリッジ１０ｂの製造方法：
図１２を参照して第２の実施例の変形例に係るトナーカートリッジ１０ｂの製造方法について説明する。図１２は第２の実施例の変形例に係るトナーカートリッジ１０ｂの製造ステップを示すフローチャートである。空の容器１１ｂを用意し（ステップＳ１００）、容器内部にトナーを充填し（ステップＳ１０２）、容器１１ｂを密封する。密封された容器１１ｂの外壁の所定位置に記憶素子２０ｂを装着し（ステップＳ１０４）、トナーカートリッジ１０ｂを包装袋、例えば、プラスチック製、紙製にて包装する（ステップＳ１０６）。この工程で用いられる記憶素子２０ｂは、予め、契約ＩＤ＝Ｘ１とされている記憶素子である。
【００６０】
トナーカートリッジ１０ｂが契約対象向けの消耗品、すなわち、特定用途向け消耗品であるか否かを決定し（ステップＳ１０７）、特定用途向け消耗品である場合には（ステップＳ１０７：Ｙｅｓ）、既述のスイッチ２５を包装袋の上から切断状態に切り替えて消耗量情報の読み出しを不可能とする、消耗量の無意味化処理を実行し（ステップＳ１０８）、外箱に詰めて出荷する（ステップＳ１１０）。
【００６１】
一方、トナーカートリッジ１０ｂが特定用途向け消耗品でない場合、すなわち、一般用途向け消耗品である場合には（ステップＳ１０７：Ｎｏ）、消耗量の無意味化処理を実行することなく外箱に詰めて出荷する（ステップＳ１１０）。
【００６２】
以上説明した第２の実施例の変形例に係るトナーカートリッジ１０ｂによれば、トナーカートリッジ１０ｂの出荷時に、包装袋の外部からスイッチ２５を操作するだけで、トナーカートリッジ１０ｂを特定用途向け消耗品または一般用途向け消耗品のいずれかに設定することができる。したがって、特定用途向け消耗品または一般用途向け消耗品のいずれか一方の在庫過多を回避することが可能となり、消耗品の管理コストを低減することができる。
【００６３】
また、トナーカートリッジ１０ｂが特定用途向け消耗品として用いられる場合には、消耗品残量情報の読み出しが不可能となるので、特定用途向け消耗品が一般用途向けプリンタにおいて用いられる使用態様を抑制または防止することができる。
【００６４】
・プリンタの構成例：
図１３を参照して第１および第２の実施例に係るトナーカートリッジ１０ａ、１０ｂを用いることができるプリンタについて簡単に説明する。図１３はプリンタの内部構成を機能ブロックにて示す説明図である。
【００６５】
プリンタ１００は、印刷部１０１、表示部１０２、入力操作部１０３、消耗品情報読取部１０６、データ入出力部１０７、データ入出力端子接続部１０８および制御回路１５０を備えている。プリンタ１００には消耗品１０が装着されている。
【００６６】
印刷部１０１は、パーソナルコンピュータＰＣからデータ入出力端子接続部１０８およびデータ入出力部１０７を介して受信した印刷データを用いて印刷処理を実行する印刷機能部である。印刷方式としては、例えば、トナーを用いた帯電方式、インクを用いたインクジェット方式が用いられる。
【００６７】
表示部１０２は、例えば、プリンタ１００の状態、紙詰まり、各消耗品の消耗に関するテキストメッセージを表示する液晶表示体を用いた表示部、あるいは、プリンタ１００の状態、例えば、オンライン状態、エラー状態を報知するための点灯表示部である。
【００６８】
入力操作部１０３は、オンライン／オフライン操作、用紙トレイ選択、電源オン／オフを指示するための入力を実行するためのキー、スイッチ操作部である。
【００６９】
データ入出力部１０７は、データ通信に要求されるプロトコル方式に従って、制御回路１５０によって用意されたデータを用いて送信用データを生成し、あるいは、受信データから制御回路１５０が所望するデータを抽出するソフトウェア通信データ入出力インターフェースである。データ入出力端子接続部１０８は、データケーブルＣＶ１を接続するためのハードウェアデータ入出力インターフェースである。
【００７０】
消耗品情報読取部１０６は、消耗品１０に備えられている記憶素子２０から、消耗品に関する情報を読み出す。
【００７１】
制御回路１５０は、各種プログラム、ソフトウェアモジュールを実行する中央処理装置（ＣＰＵ）１５１、ＣＰＵ１５１において実行される各種プログラム、ソフトウェアモジュールを格納する不揮発性記憶装置としてのリードオンリメモリ（ＲＯＭ）／ハードディスクドライブ（ＨＤＤ）１５２、プログラム実行時にプログラムを一時的に格納すると共にプログラムの実行結果を格納する揮発性メモリとしてのランダムアクセスメモリ（ＲＡＭ）１５３を備えている。
【００７２】
プリンタ１００が特定用途向けプリンタである場合には、例えば、制御回路１５０は、装着されている消耗品が特定用途向け消耗品であるか否かを契約ＩＤを用いて識別し、特定用途向け消耗品が装着されている場合には、記憶素子２０からではなく、外部サーバから消耗品の残量または消費量を取得する。一方、プリンタ１００が一般用途向けプリンタである場合には、例えば、制御回路１５０は、契約ＩＤを用いた判断を行わず、記憶素子２０から消耗品の残量または消費量を取得する。
【００７３】
制御回路１５０は、取得された消耗品の残量が、印刷処理の実行に十分でない場合には、要求されている印刷処理を実行しない。プリンタ１００が特定用途向けプリンタである場合には、制御回路１５０は、特定用途向けプリンタの情報、例えば、ファームウェアバージョン、ＩＰアドレス、型式、個別識別情報、消耗品の情報、例えば、契約ＩＤ、消耗品消耗量、消耗品固体ＩＤ、型番、使用有効期限を、プリンタ情報として外部サーバに送信する。一方、プリンタ１００が一般用途向けプリンタである場合には、制御回路１５０は、プリンタ情報を特定用途向けプリンタに対して送信する。
【００７４】
その他の実施例：
（１）上記各実施例では、記憶素子２０ａ、２０ｂには端子２１が備えられており、消耗品情報読取部１０６は接触方式によって記憶素子２０ａ、２０ｂから消耗品に関する情報を読み出している。しかしながら、他の実施例に係るトナーカートリッジ１０ｃを表す図１４に示すように、記憶素子２０ｃは、端子２１を備える変わりに無線通信機能を備えても良い。この場合には、非接触方式によって消耗品に関する情報が読み出される。
【００７５】
記憶素子２０ｃが無線通信機能を備える場合には、工場出荷時における既述の無意味化処理を容易に実行することができる。すなわち、無線通信を通じて非接触で記憶素子２０ｃの消耗品残量情報を変更することができる。例えば、トナーカートリッジ１０ｃが、特定用途向け消耗品として用いられる場合には、消耗品残量情報を残量０に変更すると共に、契約ＩＤ＝Ｘ１とすることができる。一方、トナーカートリッジ１０ｃが、一般用途向け消耗品として用いられる場合には、消耗品残量情報を適正残量に変更すると共に、契約ＩＤ＝Ｘ２とすることができる。
【００７６】
（２）上記各実施例では、接続状態から切断状態へと不可逆的に切り替え可能なスイッチ２５を用いて、記憶素子２０を書き換え不能とし、あるいは記憶素子２０の所定アドレスからの読み出しを不能としているが、スイッチ２５に代えて、ヒューズ、基板上に形成された配線を用いても良い。ヒューズを用いる場合には、ヒューズを切断することによって、接続状態から切断状態へと不可逆的に切り替えることが可能となる。なお、スイッチ２５、ヒューズは半導体記憶装置である記憶素子２０内部に外部から切り替え・切断可能な状態で備えられていることが好ましい。この場合には、不正な再導通加工を防止することができる。また、基板上に形成された配線を用いる場合には、配線が付されている基板部分を物理的に折ることによって接続状態から切断状態へと不可逆的に切り替えることが可能となる。
【００７７】
（３）トナーカートリッジ１０に複数の記憶素子２０が備えられている場合に、トナーカートリッジ１０を特定用途向け消耗品として出荷する場合には、一般用途向けプリンタが使用する記憶素子を取り外しても良い。この場合には、物理的に、一般用途向けプリンタにおける特定用途向け消耗品の使用を防止することができる。
【００７８】
（４）上記各実施例では、特定用途向け消耗品に備えられている記憶素子について、記憶素子２０を書き換え不能とし、あるいは記憶素子２０の所定アドレスからの読み出しを不能としているが、この他にも、例えば、書き込みデータを残量０または不定に固定、読み出しデータを残量０または不定に固定するようにメモリコントローラ２０２ｂを設計しても良い。この場合には、特定用途向け消耗品が一般用途向けプリンタにおいて用いられると、消耗品残量が０または不定であるため、一般用途向けプリンタにおける印刷処理が実行されない。したがって、一般用途向けプリンタにおける特定用途向け消耗品の使用を防止または抑制することができる。
【００７９】
（５）一般用途向け消耗品に備えられている記憶素子における消耗品残量を格納するアドレスと特定用途向け消耗品に備えられている記憶素子における消耗品残量を格納するアドレスとを異なるようにしても良い。すなわち、残量情報８ビットで表され、一般用途向け消耗品に対しては、残量１００％に２５５、残量０％に０が対応付けられている場合、特定用途向け消耗品に対しては、残量１００％に０、残量０％に２５５を対応付けても良い。この場合には、一般用途向けプリンタにおける、特定用途向け消耗品の使用を抑制することができる。あるいは、消耗品残量を格納するアドレス順序を、一般用途向け消耗品と特定用途向け消耗品とで逆順序にしても良い。
【００８０】
（６）上記各実施例では、契約ＩＤとしてＸ１（契約あり）とＸ２（契約なし）の二通りとしたが、この他にも、契約レベルが複数ある場合には各契約レベルに応じて細分化された契約ＩＤを付しても良い。この場合には、契約ＩＤを識別情報として、契約レベルに応じて、特定用途向け消耗品の使用態様を制御することができる。例えば、各月毎に交換可能なトナーカートリッジの個数を契約レベルに応じて規定し、規定された交換個数を超えた場合には、印刷の実行を停止させることができる。
【００８１】
（７）消耗品残量に代えて、あるいは、加えて、使用期限を用いて、一般用途向けプリンタにおける特定用途向け消耗品の使用を防止または抑制しても良い。具体的には、有効期限が経過したトナーカートリッジを使用しない一般用途向けプリンタを用いる場合には、特定用途向け消耗品の有効期限を、例えば、出荷時期とすることによって、一般用途向けプリンタにおける特定用途向け消耗品の使用を防止または抑制することができる。この場合、特定用途向けプリンタは、外部サーバから消耗品に関する情報を取得するので、特定用途向けプリンタにおける印刷処理は制限されない。
【００８２】
（８）残量情報に対して検査ビットを付しておき、消耗品が特定用途向け消耗品として用いられる場合には、検査ビットを破壊しても良い。この場合には、一般用途向けプリンタは、残量情報が適切であるか否かを判断することができなくなり、特定用途向け消耗品を用いた印刷処理が制限される。
【００８３】
（９）上記各実施例では、消耗品としてトナーカートリッジを用いて説明し、トナー残量が判定値よりも少ない場合には、消耗品が使用できない状態にあるとして、印刷処理を行わないこととした。これに対して、感光体カートリッジ、転写ユニット等が消耗品として用いられる場合には、感光体カートリッジ、転写ユニットの使用回数が所定回数を超えている場合に消耗品が使用できない状態であるとされる。
【００８４】
（１０）上記第２の実施例では、論理回路Ｌ１０、Ｌ１２等はメモリコントローラ２０２ｂとメモリアレイ２０１ｂの間に配置されている例について説明したが、メモリアレイ２０１ｂが単なる記憶領域であり、メモリコントローラ２０２ｂが外部からのリード・ライトコマンドに従う入出力コントローラとして機能する場合には、メモリコントローラ２０２ｂの前段に配置されても良い。
【００８５】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００８６】
【図１】第１の実施例に係るトナーカートリッジの概略構成を模式的に示す説明図である。
【図２】第１の実施例に係るトナーカートリッジに備えられている記憶素子の記憶領域を概念的に示す説明図である。
【図３】第２の実施例に係るトナーカートリッジの概略構成を模式的に示す説明図である。
【図４】第２の実施例に係るトナーカートリッジに備えられている記憶素子の記憶領域を概念的に示す説明図である。
【図５】第２の実施例に係るトナーカートリッジに備えられている記憶素子の内部機能ブロックを概念的に示す説明図である。
【図６】第２の実施例に係るトナーカートリッジの記憶素子に対する書き込みを制限するための論理回路例を示す説明図である。
【図７】図６の回路における各信号の組合せから得られる改コマンドを示す説明図である。
【図８】第２の実施例に係るトナーカートリッジ１０ｂの製造ステップを示すフローチャートである。
【図９】第２の実施例の変形例に係るトナーカートリッジの記憶素子における特定アドレスの読み出しを制限するための論理回路例を示す説明図である。
【図１０】図９の回路における各信号の組合せから得られる改コマンドを示す説明図である。
【図１１】図９のアドレスデコーダによって出力される信号例を示す説明図である。
【図１２】第２の実施例の変形例に係るトナーカートリッジ１０ｂの製造ステップを示すフローチャートである。
【図１３】プリンタの内部構成を機能ブロックにて示す説明図である。
【図１４】他の実施例に係るトナーカートリッジを概念的に示す説明図である。
【符号の説明】
【００８７】
１０、１０ａ、１０ｂ、１０ｃ…トナーカートリッジ
１１、１１ａ、１１ｂ、１１ｃ…容器
２０、２０ａ、２０ｂ、２０ｃ…記憶素子
２１…端子
２５…スイッチ
１００…プリンタ
１０１…印刷部
１０２…表示部
１０３…入力操作部
１０６…消耗品情報読取部
１０７…データ入出力部
１０８…データ入出力端子接続部
１５０…制御回路
１５１…ＣＰＵ
１５２…ＲＯＭ／ＨＤＤ
１５３…ＲＡＭ
Ｌ１０、Ｌ１２…論理回路
Ｌ１６…アドレスデコーダ
【図１】
2008164892.tif 000003
【図２】
2008164892.tif 000004
【図３】
2008164892.tif 000005
【図４】
2008164892.tif 000006
【図５】
2008164892.tif 000007
【図６】
2008164892.tif 000008
【図７】
2008164892.tif 000009
【図８】
2008164892.tif 000010
【図９】
2008164892.tif 000011
【図１０】
2008164892.tif 000012
【図１１】
2008164892.tif 000013
【図１２】
2008164892.tif 000014
【図１３】
2008164892.tif 000015
【図１４】
2008164892.tif 000016